(57)【特許請求の範囲】
【請求項１】
前後方向に細長いメインフロートと、同メインフロートの両側の船尾寄り部分にそれぞれ着脱可能に設けられたサイドフロートと、上記メインフロートの上部に着脱可能に立設された標的とを備えるとともに、上記メインフロートの下部にキールボードが着脱可能に設けられて、同キールボードの下端にキールウェイトが取り付けられており、同キールウェイトにより上記両側のサイドフロートが無風時には水面よりも上方に位置するように設けられていることを特徴とする、多目的曳航標的船。
【請求項２】
請求項１に記載の多目的曳航標的船において、上記メインフロートが、左右に分解可能の２つ割れ構造を有するメインフレームと、同メインフレーム内に挟持された発泡樹脂ブロックとで構成されていることを特徴とする、多目的曳航標的船。
【請求項３】
請求項１または２に記載の多目的曳航標的船において、上記標的が、上記メインフロート上で船長方向に列をなして着脱可能に立設された複数の標的フレームと、同標的フレームに張設された標的幕とで構成されていることを特徴とする、多目的曳航標的船。
【請求項４】
請求項３に記載の多目的曳航標的船において、上記標的幕が、船長方向に沿い列をなす多数の細長い短冊状部材の位相をずらした２段配列により構成され、各短冊状部材の相互間に風の通り抜けを許容する隙間が形成されていることを特徴とする、多目的曳航標的船。
【発明の詳細な説明】
【０００１】
【発明の属する技術分野】
本発明は、船舶のレーダーや光学機器の試験の際に使用される曳航標的船に関する。
【０００２】
【従来の技術】
一般に、従来の曳航標的船では、図７に示すように、船体ａに標的幕ｂを立設して、曳航索ｃで曳引される際に、横方向から風Ｗを受けると、船尾側を風下へ流されて、標的船の船首尾方向の姿勢が変化し、試験船との相対角度が大きく変わるので、標的幕ｂにレーダー波を照射する場合などに不具合をきたすようになる。
また従来の曳航標的船は、曳航時の安定性が悪く、転覆した場合の復元性も無い。
さらに、従来の曳航標的船では標的幕の交換を簡便に行うことができず、さまざまな試験に即応できないという不具合がある。
【０００３】
【発明が解決しようとする課題】
そこで本発明は、曳航時の標的船の安定性を高めるとともに、船尾を横風に流された場合の復元を可能にして、標的へのレーダー波などの照射に支障をきたさないようにするとともに、標的を着脱可能にして、種々の目的の試験に、それぞれ迅速に対応できるようにした、多目的曳航標的船を提供することを課題とする。
【０００４】
【課題を解決するための手段】
前述の課題を解決するため、本発明の多目的曳航標的船は、前後方向に細長いメインフロートと、同メインフロートの両側の船尾寄り部分にそれぞれ着脱可能に設けられたサイドフロートと、上記メインフロートの上部に着脱可能に立設された標的とを備えるとともに、上記メインフロートの下部にキールボードが着脱可能に設けられて、同キールボードの下端にキールウェイトが取り付けられており、同キールウェイトにより上記両側のサイドフロートが無風時には水面よりも上方に位置するように設けられていることを特徴としている。
【０００５】
また本発明の多目的曳航標的船は、上記メインフロートが、左右に分解可能の２つ割れ構造を有するメインフレームと、同メインフレーム内に挟持された発泡樹脂ブロックとで構成されていることを特徴としている。
【０００６】
また本発明の多目的曳航標的船は、上記標的が、上記メインフロート上で船長方向に列をなして着脱可能に立設された複数の標的フレームと、同標的フレームに張設された標的幕とで構成されていることを特徴としている。
【０００７】
さらに本発明の多目的曳航標的船は、上記標的幕が、船長方向に沿い列をなす多数の細長い短冊状部材の位相をずらした２段配列により構成され、各短冊状部材の相互間に風の通り抜けを許容する隙間が形成されていることを特徴としている。
【０００８】
上述の本発明の多目的曳航標的船では、その船体が、前後方向に細長いメインフロートと、同メインフロートの両側のサイドフロートとで構成されるので、十分な安定性が得られるようになる。そして、標的が上記メインフロートの上部に着脱可能に、すなわち取替え可能に立設されるので、上記サイドフロートが上記メインフロートに着脱可能に、すなわち種々のサイズや形状のサイドフロートに取替え可能に設けられることと相まって、多様な試験目的に簡便に対応できる利点がある。
【０００９】
また、上記メインフロートの下部にキールボードが着脱可能に設けられるとともに、同キールボードの下端にキールウェイトが取り付けられることにより、上記両側のサイドフロートが無風時には水面よりも上方に位置するようにして設けられているので、標的船としての直進性が著しく高められるようになる。そして、曳航状態で横風を受けた際にも、船体の水面へ向けて傾いた側で船尾寄りに設けられたサイドフロートが着水して、その着水抵抗により船体に対し生じるモーメントで船尾の風下への回動が相殺されるようになるので、上記キールボードの作用と相まって、この標的船の直進性や直立性が保たれるようになり、このようにして標的に対するレーダー波などの反射状態の大きな変化を回避できるので、的確な試験実施に寄与することができる。
【００１０】
さらに、上記メインフロートが、左右に分解可能の２つ割れ構造を有するメインフレームと、同メインフレーム内に挟持された発泡樹脂ブロックとで構成されると、その浮体としての簡素な構成と組立ての簡便性とにより、建造コストの大幅な低下がもたらされるようになるほか、メインフロート自体の交換も容易になって、各種の試験に対応できるようになる。
【００１１】
また上記標的が上記メインフロート上で船長方向に列をなして着脱可能に立設された複数の標的フレームと、同標的フレームに張設された標的幕とで構成されると、試験の種類に応じて上記の標的フレームや標的幕の交換を簡便かつ迅速に行えるようになり、各種の試験に即応できるようになる。
【００１２】
さらに、上記標的幕が、船長方向に沿い列をなす多数の細長い短冊状部材の位相をずらした２段配列により構成されて、各短冊状部材の相互間に風の通り抜けを許容する隙間が形成されていると、横風を受けた際の船体の傾斜が大幅に減少するようになる。
【００１３】
【発明の実施の形態】
以下、図面により本発明の実施形態について説明すると、図１は本発明の一実施形態としての多目的曳航標的船を示す側面図、図２は図１の多目的曳航標的船の正面図、図３は図１のＡ−Ａ矢視拡大断面図、図４は図１〜３の多目的曳航標的船における標的幕の一部を水平断面で示す説明図であり、図５は図１〜３の多目的曳航標的船の作用を示す説明図、図６は図５の多目的曳航標的船を後方からみた説明図である。
【００１４】
図１〜３に示すように、本実施形態の多目的曳航標的船は、前後方向に細長いメインフロートＦとして、円柱状の発泡樹脂ブロック（発泡スチロール等）２を左右に分解可能の２つ割れ構造を有する格子状のメインフレーム１で挟持したものが設けられており、メインフレーム１の左右のフレーム半部１ａ，１ａは、上部で標的フレーム取付治具８と共にボルトナット11ａで緊締され、下部でキールボード９のフォーク状上端部に挟持されてボルトナット11ｃにより緊締されている。
【００１５】
そしてキールボード９の下端にはキールウェイト10が取り付けられている。
また標的フレーム取付治具８の左右にはサイドフロート取付アーム13が突設されて、同アーム13およびサイドフロート取付フレーム３ａを介し、メインフロートＦの左右に発泡樹脂（発泡スチロール等）からなるサイドフロート３が取り付けられており、同サイドフロート３は、いずれも無風時には水面ＳＷよりも上方に位置するようにして船尾寄りに設けられている。（図５参照）
なお、左右のサイドフロート取付アーム13の中間部には、図３に示すように、サイドフロート３の取替えを容易にするためのフランジ継手14が設けられている。
【００１６】
マスト状の標的幕取付フレーム６の下端は、ボルトナット11ｂにより標的フレーム取付治具８に取り付けられ、このようにしてメインフロートＦ上に立設された標的幕取付フレーム６と、同フレーム６の上部に結合する水平フレーム15とにより標的幕５が張設され保持されている。
【００１７】
また中央の標的取付フレーム６の上方への延長端にはリフレクター７が装備されている。
さらに、メインフレーム１の前方への延長部には船首を形成するヘッドカバー４が張設されて、その前端には曳航索12を取り付ける曳航金具12ａが装着されている。
【００１８】
標的幕５は、図４に示すように、標的としての機能を維持しながら、横風の影響を少なくするため、船長方向に沿い列をなす多数の細長い短冊状部材の位相をずらした２段配列により構成され、各短冊状部材の相互間には風が通り抜けやすいように隙間が形成されている。
【００１９】
上述の本実施形態の多目的曳航標的船では、その船体が、前後方向に細長いメインフロートＦと、同メインフロートＦの両側のサイドフロート３，３とで構成されるので、十分な安定性が得られるようになる。そして、標的がメインフロートＦの上部に着脱可能に、すなわち取替え可能に立設されるので、サイドフロート３がメインフロートＦに着脱可能に、すなわち種々のサイズや形状のサイドフロートに取替え可能に設けられることと相まって、多様な試験目的に簡便に対応できる利点がある。
【００２０】
また、メインフロートＦの下部にキールボード９が着脱可能に設けられるとともに、同キールボード９の下端にキールウェイト10が取り付けられて、左右のサイドフロート３が無風時には水面ＳＷよりも上方に位置するようにして船尾寄りに設けられているので、無風時に十分な直進性が得られるほか、曳航状態で横風を受けた際にも、船体の水面へ向けて傾いた側のサイドフロート３が着水して、その着水抵抗Ｒにより船体に対し生じるモーメントで船尾の風下への回動が相殺されるようになる。これにより、キールウェイト10付きキールボード９の作用と相まって、この標的船の直進性や直立性が常に十分に保たれるようになり、このようにして標的に対するレーダー波などの反射状態の大きな変化を回避できるので、的確な試験実施に寄与することができる。
【００２１】
さらに、メインフロートＦが、左右に分解可能のフレーム半部１ａ，１ａからなる２つ割れ構造を有するメインフレーム１と、同メインフレーム１内に挟持された発泡樹脂ブロック２とで構成されるので、その浮体としての簡素な構成と組立ての簡便性とにより、建造コストの大幅な低下がもたらされるようになるほか、メインフロートＦ自体の交換も容易になって、各種の試験に対応できるようになる。
【００２２】
また標的がメインフロートＦ上で船長方向に列をなして着脱可能に立設された複数の標的フレーム６と、同標的フレーム６に張設された標的幕５とで構成されるので、試験の種類に応じて標的フレーム６や標的幕５の交換を簡便かつ迅速に行えるようになり、各種の試験に即応できるようになる。
【００２３】
さらに、標的幕５が、船長方向に沿い列をなす多数の細長い短冊状部材の位相をずらした２段配列により構成されて、各短冊状部材の相互間に風の通り抜けを許容する隙間が形成されているので、横風を受けた際の船体の傾斜が大幅に減少するようになる。
【００２４】
メインフロートＦにおける発泡樹脂ブロック２や同様の材質のサイドフロート３については、前述のごとく容易に交換できる構造になっているので、レーダー等の試験の際に様々な形状のものや塗装の材質を変化させたものと交換することができ、電波の反射率を変化させて試験を実施することができる。
【００２５】
また標的幕５についても前述のごとく交換が容易なので、レーダー等の試験の際に標的幕５を取り替えて電波の反射率を変化させることができ、光学機器の試験の際にも、標的幕５の交換により、その視認性を変化させながら試験を実施できるようになる。
【００２６】
なお、本実施形態の曳航標的船を射撃レーダー目標追尾／捕捉試験に用いる場合、艦船（護衛艦）に装備されている76mm砲などの射撃レーダーで、本艦から離れた目標（標的船）に対する追尾／捕捉の確認を行うことができる。
その際、標的幕５が取り付けられていると、レーダーの反射面積が大きくなり、より遠くの標的を追尾／捕捉できる。そして、標的幕５を取り外すと、レーダーの反射面積が小さくなり、実戦に即した追尾／捕捉が模擬できる。
【００２７】
また、サイドフロート３を取り外すと、さらにレーダーの反射面積が小さくなり、より実戦に即した追尾／捕捉が模擬できる。
さらに、メインフロートＦをステルス性の塗料を塗布したものに交換することにより、レーダーの反射面積を小さくすることができる。
また、視界が悪い場合は標的幕を赤などの視認性の良い色とすることにより、スムーズな試験進行を可能とする。
【００２８】
【発明の効果】
以上詳述したように、本発明の多目的曳航標的船によれば次のような効果が得られる。
(1) 船体が、前後方向に細長いメインフロートと、同メインフロートの両側の船尾寄り部分にそれぞれ着脱可能に設けられたサイドフロートとで構成されるので、十分な安定性が得られるようになる。そして、標的が上記メインフロートの上部に着脱可能に、すなわち取替え可能に立設されるので、上記サイドフロートが上記メインフロートに着脱可能に、すなわち種々のサイズや形状のサイドフロートに取替え可能に設けられることと相まって、多様な試験目的に簡便に対応できる利点がある。また、上記メインフロートの下部にキールボードが着脱可能に設けられるとともに、同キールボードの下端にキールウェイトが取り付けられて、上記両側のサイドフロートが無風時には水面よりも上方に位置するようにして船尾寄りに設けられているので、曳航状態で横風を受けた際に、船体の水面へ向けて傾いた側のサイドフロートが着水して、その着水抵抗により船体に対し生じるモーメントで船尾の風下への回動が相殺されるようになる。これにより上記キールボードの作用と相まって、この標的船の直進性や直立性が保たれるようになる。このようにして、標的に対するレーダー波などの反射状態の大きな変化を回避することができ、的確な試験実施に寄与することができる。（請求項１）
(2) 上記メインフロートが、左右に分解可能の２つ割れ構造を有するメインフレームと、同メインフレーム内に挟持された発泡樹脂ブロックとで構成されると、その浮体としての簡素な構成と組立ての簡便性とにより、建造コストの大幅な低下がもたらされるようになるほか、メインフロート自体の交換も容易になって、各種の試験に対応できるようになる。（請求項２）
(3) 上記標的が上記メインフロート上で船長方向に列をなして着脱可能に立設された複数の標的フレームと、同標的フレームに張設された標的幕とで構成されると、試験の種類に応じて上記の標的フレームや標的幕の交換を簡便かつ迅速に行えるようになり、各種の試験に即応できるようになる。（請求項３）
(4) 上記標的幕が、船長方向に沿い列をなす多数の細長い短冊状部材の位相をずらした２段配列により構成されて、各短冊状部材の相互間に風の通り抜けを許容する隙間が形成されていると、横風を受けた際の船体の傾斜が大幅に減少するようになる。（請求項４）
【図面の簡単な説明】
【図１】  本発明の一実施形態としての多目的曳航標的船を示す側面図である。
【図２】  図１の多目的曳航標的船の正面図である。
【図３】  図１のＡ−Ａ矢視拡大断面図である。
【図４】  図１〜３の多目的曳航標的船における標的幕の一部を水平断面で示す説明図である。
【図５】  図１〜３の多目的曳航標的船の作用を示す説明図である。
【図６】  図５の多目的曳航標的船を後方からみた説明図である。
【図７】  従来の曳航標的船が横風を受けている状態を示す平面図である。
【符号の説明】
１  メインフレーム
１ａ  メインフレーム半部
２  発泡樹脂ブロック
３  サイドフロート
３ａ  サイドフロート取付フレーム
４  ヘッドカバープレート
５  標的幕
６  標的フレーム
７  リフレクター
８  標的フレーム取付治具
９  キールボード
10  キールウェイト
11ａ，11ｂ, 11ｃ  ボルトナット
12  曳航索
12ａ  曳航金具
13  サイドフロート取付アーム
14  フランジ継手
15  フレーム
Ｆ  メインフロート
Ｒ  着水抵抗
ＳＷ  水面
Ｗ  風
【図１】
0003692264.tif 000002
【図２】
0003692264.tif 000003
【図３】
0003692264.tif 000004
【図４】
0003692264.tif 000005
【図５】
0003692264.tif 000006
【図６】
0003692264.tif 000007
【図７】
0003692264.tif 000008